(57)【要約】【課題】潤滑材を皆無にし、同時に、軽量かつ安価で、多様な摩擦面を実現することができるチルトヒンジを提供する。【解決手段】ノート型パソコン等の機器本体に取り付け固定されるベース部材と、該ベース部材に連結シャフトを介して回転自在に連結される回転部材と、上記ベース部材と回転部材の間に介挿され、ゴム材やエラストマー等から成る弾性摩擦部材から構成され、該弾性摩擦部材が上記ベース部材または回転部材の少なくとも一方に摩擦接触することを特徴とする。【選択図】        図１
2006057648.tif 000002
【特許請求の範囲】
【請求項１】
ノート型パソコン等の機器本体に取り付け固定されるベース部材と、該ベース部材に連結シャフトを介して回転自在に連結される回転部材と、上記ベース部材と回転部材の間に介挿され、ゴム材やエラストマー等から成る弾性摩擦部材から構成され、該弾性摩擦部材が上記ベース部材または回転部材の少なくとも一方に摩擦接触することを特徴とするチルトヒンジ。
【請求項２】
上記弾性摩擦部材が連結シャフトの軸方向に摩擦接触することを特徴とする請求項１に記載のチルトヒンジ。
【請求項３】
上記弾性摩擦部材が連結シャフトの半径方向に摩擦接触することを特徴とする請求項１または２に記載のチルトヒンジ。
【請求項４】
上記弾性摩擦部材の摩擦接触状態が回転角度によって変化することを特徴とする請求項２または３に記載のチルトヒンジ。
【発明の詳細な説明】
【技術分野】
【０００１】
本発明は、ノート型パソコン等の機器本体に対して、その蓋やディスプレイ等の開閉部材を開閉自在に連結すると共に、該開閉部材を任意の開閉状態に保持するチルトヒンジに関するものである。
【背景技術】
【０００２】
従来の、この種のチルトヒンジとしては、例えば、装置本体に取り付けられるブラケットと、該ブラケットに回転自在に取り付けられると共に開閉体に取り付けられる連結シャフトと、該連結シャフトと共に回転するフリクションプレートと、該フリクションプレートに摩擦力を与える付勢手段から成るものがある。（特許文献１参照）
【特許文献１】特開平１０−０２６１２６号公報
【０００３】
しかし、上記特許文献１の従来技術は、摩擦力を与える多数のフリクションプレートと、これらの間に摩擦力を与える皿バネ等の、多くの金属部品により構成されているので、製造組立コストが高かったり軽量化を図ることが困難であるだけでなく、摩擦面の多様化を図ることが出来ない等の欠点があった。
また、金属同士を摩擦部材として使用するため、習動音発生や対磨耗性のためにグリスなどの潤滑材を塗布することが必須であった。したがって  OA機器に装着時グリスなどで、ユーザが手を汚したり、使用紙を汚したりする欠点があった。
【発明の開示】
【発明が解決しようとする課題】
【０００４】
本発明が解決しようとする課題は、上記従来のヒンジの問題点を解決し、軽量かつ安価で、多様な摩擦面を実現することができるチルトヒンジを提供することにある。
【課題を解決するための手段】
【０００５】
本発明は、ノート型パソコン等の機器本体に取り付け固定されるベース部材と、該ベース部材に連結シャフトを介して回転自在に連結される回転部材と、上記ベース部材と回転部材の間に介挿され、ゴム材やエラストマー等から成る弾性摩擦部材から構成され、該弾性摩擦部材が上記ベース部材または回転部材の少なくとも一方に摩擦接触することを特徴とする。また、上記弾性摩擦部材が連結シャフトの軸方向に摩擦接触することを特徴とする。さらに、上記弾性摩擦部材が連結シャフトの半径方向に摩擦接触することを特徴とする。又更に、上記弾性摩擦部材の摩擦接触状態が回転角度によって変化することを特徴とする。
また、摩擦部材に潤滑材を全く使用しないことも特徴とする。
【発明の効果】
【０００６】
本発明のチルトヒンジは、潤滑材を皆無にし、同時に、軽量かつ安価で、多様な摩擦面を実現することができるという利点がある。
【発明を実施するための最良の形態】
【０００７】
図１は、本発明のチルトヒンジの一実施例を示す分解斜視図であって、１はベース部材、２は回転部材、３は連結シャフト、４は弾性摩擦部材としてのＯ−リング、５は締付け部材である。
【０００８】
上記ベース部材１は、ノート型パソコン等の機器本体に取り付け固定される。上記回転部材２は、前記機器本体の蓋やディスプレイ等の開閉部材を取り付け支持すると共に、上記連結シャフト３を介して前記ベース部材１に回転自在に連結される。
【０００９】
本実施例にける上記Ｏ−リング４は、大中小の３種の直径を有するＯ−リングから成り、大きな直径のＯ−リングの中に中直径のＯ−リングが納められ、さらに、中直径のＯ−リングの中に小さい直径のＯ−リングが納められて、全体として同一平面状に配置された状態で、上記ベース部材１と回転部材２の間に介挿される。
【００１０】
上記締付け部材５により上記Ｏ−リング４を締め付けると、特に図２（Ｂ）から明らかなように、上記ベース部材１の摩擦面１ａおよび回転部材２の摩擦面２ａに圧接して摩擦係合する。
【００１１】
本実施例のチルトヒンジは、以上のように構成されているので、蓋やディスプレイ等の開閉部材を手で開閉すると、上記Ｏ−リング４の摩擦係合により、上記ベース部材１および回転部材２の間で摩擦トルクが発生し、開閉部材を任意の開閉位置に安定かつ確実に停止させることができる。
【００１２】
図３は、本発明のチルトヒンジの別の実施例を示す分解斜視図であって、ベース部材１、回転部材２、連結シャフト３、締付け部材５は、上記実施例と同じ構成および作用を有する。
【００１３】
６は本発明の弾性摩擦部材としてのエラストマーであって、例えば商品名：チェラストまたは商品名：:ハイトレルとして市販されている素材から成り、上記ベース部材１と回転部材２の間に介挿される。該エラストマー６には、前記ベース部材１の摩擦係合穴１ｂに摩擦係合する摩擦突起６ａと、前記回転部材２の嵌合穴２ｂに嵌合する突起６ｂが形成されている。
【００１４】
上記締付け部材５により上記エラストマー６を連結シャフト３の軸方向に締め付けると、該エラストマー６の端面６ｃが上記ベース部材１の摩擦面１ａに摩擦接触すると同時に、上記摩擦突起６ａの端面６ａ−１が、上記ベース部材１の摩擦係合穴１ｂの底面１ｂ−１に圧接する。すなわち、上記エラストマー６が連結シャフト３の軸方向に摩擦接触する。また、該エラストマー６は連結シャフト３の軸方向に圧縮されると、これに直交する摩擦突起６ａの外周面６ａ−２が外方に拡がって、上記摩擦係合穴１ｂの内周面１ｂ−２に圧接する。すなわち、上記エラストマー６が連結シャフト３の半径方向に摩擦接触する。
【００１５】
本実施例のチルトヒンジは、以上のように構成されているので、蓋やディスプレイ等の開閉部材を手で開閉すると、これに伴って上記回転部材２が回転し、これに一体的に嵌合しているエラストマー６も回転する。該エラストマー６の摩擦突起６ｂは、上記ベース部材１の摩擦係合穴１ｂに、連結シャフト３の軸方向および半径方向に圧接して摩擦係合しているので、大きな摩擦トルクを生じさせることができ、開閉部材を任意の開閉位置に安定かつ確実に停止させることができる。
【００１６】
本実施例では、エラストマー６の摩擦突起６ａに切欠部６ａ−３を入れて、上記外周面６ａ−２を部分的に形成すると共に、上記摩擦係合穴１ｂを小判形に形成しているので、摩擦突起６ａの外周面６ａ−２と摩擦係合穴１ｂの内周面１ｂ−２の圧接摩擦状態が回転角度によって変化するようになっており、開閉部材の開閉角に応じて最適の摩擦トルクとすることができる。
【００１７】
図５は、本発明の更に別の実施例を示すもので、ゴム材やエラストマー等の弾性摩擦部材７の周面を軸方向に波形に形成すると共に、これを取り囲むベース部材１の周面１ｃも波形に形成して、摩擦面積を増加させることにより、小型で強力な摩擦トルクを発揮させることができる。
【産業上の利用可能性】
【００１８】
本発明のチュルトヒンジは、上記ノート型パソコンの他に、小型複写機、スキャナー、ファックス、これらの複合機（ＭＦＰ）などの用途にも適用できる。
【図面の簡単な説明】
【００１９】
【図１】本発明のチルトヒンジの一実施例を示す分解斜視図である。
【図２】図１のチルトヒンジの組み付け図（Ａ）、そのイ−イ端面図（Ｂ）、ロ−ロ端面図（Ｃ）である。
【図３】本発明のチルトヒンジの別の実施例を示す分解斜視図（Ａ）およびベース部材の摩擦係合穴の説明図（Ｂ）である。
【図４】図３のチルトヒンジの組み付け図（Ａ）、そのハ−ハ端面図（Ｂ）、ニ−ニ端面図（Ｃ）である。
【図５】本発明のチルトヒンジの更に別の実施例を示す断面図（Ａ）およびホ−ホ端面図（Ｂ）である。
【符号の説明】
【００２０】
１    ベース部材
１ａ  摩擦面
１ｂ  摩擦係合穴
１ｂ−１  底面
１ｂ−２  内周面
１ｃ  周面
２    回転部材
２ａ  摩擦面
２ｂ  嵌合穴
３    連結シャフト
４    Ｏ−リング
５    締付け部材
６    ウレタン摩擦部材
６ａ  摩擦突起
６ａ−１  端面
６ａ−２  外周面
６ａ−３  切欠部
６ｂ    突起
【図１】
2006057648.tif 000003
【図２】
2006057648.tif 000004
【図３】
2006057648.tif 000005
【図４】
2006057648.tif 000006
【図５】
2006057648.tif 000007